(57)【要約】【課題】  固定フレームを固定するための締付けハンドルを浴槽外に配したうえで、浴槽壁を跨ごうとする動作を妨げないような位置に手すり枠を動かすことが出来る浴槽用手すりを提供する。【解決手段】  浴槽用手すり１０の固定フレーム１１には支持枠２１と当接部２２と押圧部２３と締付けハンドル２４とが備えられ、締付けハンドル２４を浴槽の外側に配置するものとし、手すり枠１２は、固定フレーム１１の支持枠２１と締付けハンドル２４の間に介装された取着部３１と、該取着部から立設された支柱部３２と、該支柱部３２の先端に設けられた把持部３３とを備え、該取着部３１を固定フレーム１１に対し、締付けハンドル２４を中心として浴槽壁の延びる方向に沿って回動可能に装着し、手すり枠１２を固定フレーム１１に対して傾動可能とすることで、把持部３３を固定フレーム１１の直上位置から移動可能に構成する。【選択図】      図１
2014121386.tif 000002
【特許請求の範囲】
【請求項１】
浴槽において洗い場に面した浴槽壁の上縁部に取り付け固定される固定フレームと、該固定フレームに取り付けられた手すり枠とを備える浴槽用手すりであって、
上記固定フレームは、上記浴槽壁を挟んで上記浴槽の内外を跨ぐことが可能な所定形状をなす支持枠と、該支持枠の内側に設けられて上記浴槽壁の壁面に当接される当接部と、該当接部に対して進退可能に並設するべく該支持枠の内側にネジ棒を介して支持されて該当接部との間で上記浴槽壁を挟み込む押圧部と、該支持枠に回転自在に支持されつつ該ネジ棒と螺着されることで回転操作により該ネジ棒を螺退又は螺入させて該押圧部を該当接部に対して進退させる締付けハンドルと、を備えており、
上記固定フレームの上記浴槽への取り付けに際しては、上記当接部を上記浴槽の内側で上記浴槽壁の内壁面に当接させ、かつ上記押圧部を該浴槽の外側で上記浴槽壁の外壁面に当接させて、上記締付けハンドルを上記浴槽の外側に配置するものとし、
上記手すり枠は、上記固定フレームの上記支持枠と上記締付けハンドルの間に介装された取着部と、該取着部から立設された支柱部と、該支柱部の先端に設けられた把持部と、を備えており、
上記手すり枠の取着部を上記固定フレームに対し、上記締付けハンドルを中心として上記固定フレームが取り付けられた上記浴槽壁の延びる方向に沿って回動可能に装着することにより、上記手すり枠を上記固定フレームに対して傾動可能とし、上記手すり枠の把持部を上記固定フレームの直上位置から移動可能に構成した
ことを特徴とする浴槽用手すり。
【請求項２】
上記手すり枠の把持部を上記固定フレームの直上位置から移動する際には上記固定フレームに対する上記手すり枠の取着部の回動を許容し、上記手すり枠の把持部を上記固定フレームの直上位置から移動して所定位置に固定する際には、上記固定フレームに対する上記手すり枠の取着部の回動を規制する、手すり位置固定手段を設けた
請求項１に記載の浴槽用手すり。
【請求項３】
上記手すり枠の把持部を正面視で円環形状とした
請求項１又は請求項２に記載の浴槽用手すり。
【請求項４】
上記手すり枠の把持部を、上記浴槽の内外方向に延びる円筒枠状とした
請求項１又は請求項２に記載の浴槽用手すり。
【発明の詳細な説明】
【技術分野】
【０００１】
本発明は、浴槽へ出入りする際に浴槽壁を跨ぐ動作を補助する浴槽用手すりに関し、より詳しくは該動作を妨げないように構成した浴槽用手すりに関するものである。
【背景技術】
【０００２】
従来、浴槽用手すりは、入浴者が高齢者や身障者や児童等である場合に、浴槽への出入りに際して浴槽壁を跨ぐ動作が困難となるため、該動作を補助するべく提供されたものである。
上記浴槽用手すりは、固定フレームと、該固定フレームから真っ直ぐ上方に立ち上がった手すり枠とによって構成される。また該固定フレームは、例えば下向き凹字状等のような浴槽壁を挟んで浴槽の内外を跨ぐことが可能な形状とされており、その内側で浴槽壁を挟みつけることで該浴槽壁に固定される。但し、一般的な浴槽の浴槽壁の厚みは一定ではなく、特にコーナー付近の浴槽壁の厚みが厚くなっているため、該コーナー付近の浴槽壁の厚さが固定フレームの取り付け可能範囲を超えることから、浴槽用手すりの多くは、浴槽への出入り時に跨ぐ浴槽壁の上縁部の中央付近に取り付けられる。
しかし、浴槽への出入り時に跨ぐ浴槽壁の上縁部の中央付近に浴槽用手すりを取り付けると、通常は手すり枠が固定フレームから真っ直ぐ上方に立ち上がった構成となっているため、浴槽のサイズにもよるが、該手すり枠が邪魔になり、浴室が使いづらくなる場合がある。詳しくは、浴槽においては、該浴槽への出入り時に跨ぐ浴槽壁の上部の空間が浴槽に出入りするためのスペースとなる。そして浴槽壁の上縁部の中央付近に浴槽用手すりを取り付けると、該スペースの略中央に該浴槽用手すりの手すり枠が位置することになり、該手すり枠に手をかけて浴槽に出入りするとなれば、該スペースを略半分しか使うことが出来ず、浴槽壁を跨ごうとして上げた入浴者の足が浴室の壁面に当たってしまい、浴室が使いづらくなる。
そこで特許文献１には、浴槽用手すりとして、隣接する２つの浴槽壁（長壁と短壁）に跨がって設置することで浴槽のコーナーに取り付けるように構成されたものが提案されている。だがしかし、一般的な浴槽にあっては、浴槽壁のうちの短壁が浴室の壁に接している、あるいは短壁が浴室の壁と連なっているものが多く、該浴槽用手すりを取り付けることが出来ない。
そこで特許文献２では、固定フレームの洗い場側（浴槽外側）に連結板を設けるとともに、該連結板に手すり枠を取り付け、該固定フレームに対する該連結板の取り付け位置を横方向へずらすことで、該手すり枠を浴槽壁の上縁部の中央付近からコーナー寄りにずらすことが出来るように構成されたものが提案されている。
【先行技術文献】
【特許文献】
【０００３】
【特許文献１】実開平３−２７６８０号公報
【特許文献２】特開２００３−２４２３１号公報
【発明の概要】
【発明が解決しようとする課題】
【０００４】
ところが、上記特許文献２の発明においては、固定フレームの洗い場側に連結板を設けたため、該固定フレームで浴槽壁を挟みつけるべく使用する締付けハンドルは、該固定フレームの浴槽側（浴槽内側）に設けざるを得ない。すなわち、該締付けハンドルは、浴槽内に突出することになり、入浴中に邪魔になってしまうという問題があった。
本発明は、このような従来技術に存在する問題点に着目してなされたものであり、その目的とするところは、固定フレームを固定するための締付けハンドルを浴槽外に配したうえで、浴槽壁を跨ごうとする動作を妨げないような位置に手すり枠を動かすことが出来る浴槽用手すりを提供することにある。
【課題を解決するための手段】
【０００５】
上記の目的を達成するために、請求項１に記載の浴槽用手すりの発明は、浴槽において洗い場に面した浴槽壁の上縁部に取り付け固定される固定フレームと、該固定フレームに取り付けられた手すり枠とを備える浴槽用手すりであって、上記固定フレームは、上記浴槽壁を挟んで上記浴槽の内外を跨ぐことが可能な所定形状をなす支持枠と、該支持枠の内側に設けられて上記浴槽壁の壁面に当接される当接部と、該当接部に対して進退可能に並設するべく該支持枠の内側にネジ棒を介して支持されて該当接部との間で上記浴槽壁を挟み込む押圧部と、該支持枠に回転自在に支持されつつ該ネジ棒と螺着されることで回転操作により該ネジ棒を螺退又は螺入させて該押圧部を該当接部に対して進退させる締付けハンドルと、を備えており、上記固定フレームの上記浴槽への取り付けに際しては、上記当接部を上記浴槽の内側で上記浴槽壁の内壁面に当接させ、かつ上記押圧部を該浴槽の外側で上記浴槽壁の外壁面に当接させて、上記締付けハンドルを上記浴槽の外側に配置するものとし、上記手すり枠は、上記固定フレームの上記支持枠と上記締付けハンドルの間に介装された取着部と、該取着部から立設された支柱部と、該支柱部の先端に設けられた把持部と、を備えており、上記手すり枠の取着部を上記固定フレームに対し、上記締付けハンドルを中心として上記固定フレームが取り付けられた上記浴槽壁の延びる方向に沿って回動可能に装着することにより、上記手すり枠を上記固定フレームに対して傾動可能とし、上記手すり枠の把持部を上記固定フレームの直上位置から移動可能に構成したことを要旨とする。
請求項２に記載の発明は、請求項１に記載の浴槽用手すりの発明において、上記手すり枠の把持部を上記固定フレームの直上位置から移動する際には上記固定フレームに対する上記手すり枠の取着部の回動を許容し、上記手すり枠の把持部を上記固定フレームの直上位置から移動して所定位置に固定する際には、上記固定フレームに対する上記手すり枠の取着部の回動を規制する、手すり位置固定手段を設けたことを要旨とする。
請求項３に記載の発明は、請求項１又は請求項２に記載の浴槽用手すりの発明において、上記手すり枠の把持部を正面視で円環形状としたことを要旨とする。
請求項４に記載の発明は、請求項１又は請求項２に記載の浴槽用手すりの発明において、上記手すり枠の把持部を、上記浴槽の内外方向に延びる円筒状としたことを要旨とする。
【発明の効果】
【０００６】
〔作用〕
本発明の浴槽用手すりによれば、固定フレームの浴槽への取り付けに際し、締付けハンドルは該浴槽の外側に配置されるようになっており、該締付けハンドルが浴槽内で入浴者の邪魔になることはない。
更に手すり枠は、固定フレームと締付けハンドルの間に介装された取着部が、該締付けハンドルを中心として固定フレームが取り付けられた浴槽壁の延びる方向に沿って回動可能に装着されているため、固定フレームに対して傾動可能となっており、その把持部を固定フレームの直上位置から移動させることができるため、浴槽壁を跨ごうとする動作を妨げないような位置に手すり枠を動かすことが出来る。
また浴槽用手すりは、手すり位置固定手段を設けることで、手すり枠の回動を規制することができ、浴槽壁を跨ごうとする動作を妨げない丁度よい位置で手すり枠を固定することができる。
また手すり枠の把持部の形状を、円環形状又は円筒枠状とすることで、何れの箇所を手で握っても遜色がないため、手すり枠を傾動させて把持部の位置や傾きが変わっても、好適に身体を支えることができる。
【０００７】
〔効果〕
本発明にあっては、固定フレームを固定するための締付けハンドルを浴槽外に配したうえで、浴槽壁を跨ごうとする動作を妨げないような位置に手すり枠を動かすことが出来る浴槽用手すりを提供することが出来る。
【図面の簡単な説明】
【０００８】
【図１】実施形態の浴槽用手すりを示す斜視図。
【図２】浴槽に浴槽用手すりを取り付けた状態を示す斜視図。
【図３】固定フレームを示す分解状態の斜視図。
【図４】固定フレームを示す側断面図。
【図５】手すり枠を示す分解状態の斜視図。
【図６】手すり枠を示す側断面図。
【図７】（ａ），（ｂ）は浴槽用手すりを使用して入浴者が浴槽に出入りする状態を示す説明図。
【図８】別形態の手すり枠の把持部を示す斜視図。
【発明を実施するための形態】
【０００９】
以下、本発明の浴槽用手すりを具体化した実施形態について、図面に基づき説明する。
図１に示すように、浴槽用手すり１０は、固定フレーム１１と、該固定フレーム１１に取り付けられた手すり枠１２とを備えている。
図２に示すように、上記浴槽用手すり１０は、浴室内に設置された浴槽ＢＴにおいて、洗い場に面する浴槽壁ＢＷの上縁部に、上記固定フレーム１１を介して取り付けられて使用される。
【００１０】
図３及び図４に示すように、上記固定フレーム１１は、支持枠２１を備えている。該支持枠２１は、断面Ｌ字状をなす第１枠材２１Ａと、断面Ｌ字状をなす第２枠材２１Ｂとを組み合わせることで、上記浴槽壁ＢＷを挟んで上記浴槽ＢＴの内外を跨ぐことができるように、下向きの凹字状に形成されている。該支持枠２１は、第１枠材２１Ａと第２枠材２１Ｂを相互に接近又は離隔させることで該浴槽壁ＢＷの厚みに応じて間隔を変更調節することが可能である。
また第１枠材２１Ａの上壁にはスリット２１Ｃが形成されるとともに、第２枠材２１Ｂには孔部２１Ｄが形成されており、該スリット２１Ｃを介して該孔部２１Ｄにピン２１Ｅを挿入することで、該支持枠２１は、該浴槽壁ＢＷの厚みに応じて変更調節した間隔で固定することが可能である。
なお上記孔部２１Ｄとピン２１Ｅは、雌ネジ孔と雄ネジに変更してもよい。
【００１１】
上記支持枠２１の内側において第１枠材２１Ａには、当接部２２が設けられている。該当接部２２は、四角板状に形成され、その表面に発泡ゴム、スポンジ等といった弾性材料からなるクッション部２２Ａが設けられるとともに、第１枠材２１Ａに対して揺動ピン２２Ｂを介して揺動自在に取り付けられている。そして該当接部２２は、例えば上記浴槽壁ＢＷの壁面が斜面状をなしている場合であっても、該壁面の傾きに応じて揺動し、またクッション部２２Ａが適宜潰れることで、該浴槽壁ＢＷの壁面に好適に当接することができるように構成されている。
【００１２】
上記支持枠２１において第２枠材２１Ｂには、押圧部２３及び締付けハンドル２４を取り付けて支持するべく、側壁部の中央に円筒状の支持スリーブ２５が設けられている。
上記押圧部２３は、四角板状に形成され、裏面の中央にネジ棒２３Ａが揺動自在に取り付けられている。また該押圧部２３の表面には発泡ゴム、スポンジ等といった弾性材料からなる滑り止め部２３Ｂが設けられている。
上記締付けハンドル２４は、基部２４Ａと、握り部２４Ｂとによって構成されている。該締付けハンドル２４の基部２４Ａは、円筒状に形成されるとともに、その内部には雌ネジが螺刻されており、また先端には多角筒状（図中では六角筒状）をなす連結柱２４Ｃが突設されている。該締付けハンドル２４の握り部２４Ｂは、略円柱状に形成されるとともに、その基端には、該連結柱２４Ｃが嵌入されるべく、該連結柱２４Ｃと対応する形状をなす嵌入孔２４Ｄが設けられている。
【００１３】
上記押圧部２３は、ネジ棒２３Ａの先端に上記締付けハンドル２４の基部２４Ａを螺着し、更に該基部２４Ａを上記支持枠２１の内側から上記第２枠材２１Ｂの支持スリーブ２５の内部に挿通することで、該支持枠２１の内側に支持されている。
上記締付けハンドル２４は、上記基部２４Ａが上記第２枠材２１Ｂの支持スリーブ２５の内部に挿通支持された状態で、該支持スリーブ２５の外部に突出する連結柱２４Ｃと、上記握り部２４Ｂの嵌入孔２４Ｄとを嵌合することで、上記支持枠２１に回転自在に支持されている。
上記固定フレーム１１にあっては、上記締付けハンドル２４の握り部２４Ｂを握って回転操作することにより、基部２４Ａの内部に上記押圧部２３のネジ棒２３Ａが螺入又は螺退されて、上記押圧部２３が上記当接部２２に対して進退する（図４中の矢印を参照）。そして上記押圧部２３と上記当接部２２との間で上記浴槽壁ＢＷを挟み込みつつ、該押圧部２３を上記浴槽壁ＢＷに圧接させることで、上記固定フレーム１１が上記浴槽壁ＢＷに固定される。また上記押圧部２３は、上記支持枠２１に支持されたネジ棒２３Ａが揺動自在に取り付けられていることから、該支持枠２１に対して揺動可能となっているため、例えば上記浴槽壁ＢＷの壁面が斜面状をなしている場合であっても、該壁面の傾きに応じて揺動し、更に滑り止め部２３Ｂが適宜潰れたりすることで該浴槽壁ＢＷの壁面に好適に圧接される。
なお上記締付けハンドル２４の内部において、基部２４Ａの内部、連結柱２４Ｃの内部及び握り部２４Ｂの嵌入孔２４Ｄは、全て連通した空間となっており、該空間がネジ棒２３Ａを収容するスペースとされる。そして、該締付けハンドル２４の内部の空間を大きくして該ネジ棒２３Ａの螺入量を大きくすることで、該ネジ棒２３Ａの螺入又は螺退による上記押圧部２３の進退ストロークを確保し、浴槽壁ＢＷの厚みに応じた調整幅を広くしている。
【００１４】
図５及び図６に示すように、上記手すり枠１２は、取着部３１と、支柱部３２と、把持部３３とを備えている。
上記取着部３１は、板状に形成され、その中央には回動支持孔３１Ａが貫通形成されているとともに、正面視で左右の両側部には円筒状をなす支柱支持部３１Ｂが設けられている。
上記支柱部３２は、丸棒状に形成され、その基端部が上記取着部３１の支柱支持部３１Ｂに挿入されることにより、該取着部３１から立設されている。また該支柱部３２は、該支柱支持部３１Ｂへの挿入量に応じて上記把持部３３の高さ位置を変更調節することができ、さらに上下一対の固定ピン３２Ａを該支柱支持部３１Ｂの外側から差し込むことにより、該変更調節後の該把持部３３の高さ位置を固定することが可能である。
上記把持部３３は、正面視で円環形状をなすように形成されており、左右一対からなる支柱部３２の先端に取り付けられ、下方から支持されている。
上記手すり枠１２は、上記取着部３１が、その回動支持孔３１Ａの内側に上記固定フレーム１１の上記支持枠２１に設けられた支持スリーブ２５が挿通されることで、該支持枠２１と上記締付けハンドル２４の間に介装されて、該支持枠２１に取り付けられている。そして該手すり枠１２は、該取着部が上記固定フレーム１１の支持枠２１に対し、上記締付けハンドル２４を中心として所定方向へ回動できるように構成されている。
【００１５】
上記固定フレーム１１において、上記支持枠２１の第２枠材２１Ｂには、上記支持スリーブ２５を中心とした周囲に、複数のネジ孔３４が円形状をなすように等間隔おきに形成されている。この実施形態でネジ孔３４は、４５度間隔おきに合計８つが形成されている。
上記手すり枠１２において、上記取着部３１には、該ネジ孔３４と対応する高さ位置となるように挿通孔３５が上下一対設けられている。
上記ネジ孔３４及び上記挿通孔３５は、固定ネジ３６とともに、手すり位置固定手段を構成している。
すなわち、上記手すり枠１２は、上記固定ネジ３６を上記取着部３１の挿通孔３５に挿通したうえで上記支持枠２１のネジ孔３４に螺入することで、上記締付けハンドル２４を中心とした上記取着部３１の回動が規制され、該支持枠２１に対して固定される。また一方、上記手すり枠１２は、上記固定ネジ３６が上記支持枠２１のネジ孔３４に螺入されていない状態では、上記締付けハンドル２４を中心とした上記取着部３１の回動を許容されており、該支持枠２１に対して傾動させることが可能となる。
【００１６】
上記浴槽用手すり１０を浴槽ＢＴへ取り付ける場合、以下のようにして行う。
まず浴槽壁ＢＷの厚みに応じて固定フレーム１１の支持枠２１の間隔を調整し、該支持枠２１を該浴槽壁ＢＷの上縁部に被せる。次いで、固定フレーム１１の当接部２２を浴槽ＢＴの内側で浴槽壁ＢＷの内壁面に当接させるとともに、押圧部２３を該浴槽ＢＴの外側で浴槽壁ＢＷの外壁面に当接させる。この状態で締付けハンドル２４は浴槽ＢＴの外側に配置されており、該締付けハンドル２４を回転させることで押圧部２３を浴槽壁ＢＷの外壁面に圧接させ、押圧部２３と当接部２２の間で浴槽壁ＢＷを挟み付けることで、浴槽用手すり１０の取り付けが完了する。
【００１７】
上記のように浴槽用手すり１０を取り付けた後は、必要に応じて手すり枠１２を固定フレーム１１に対して傾動させる。
例えば、図７（ａ）に示すように、手すり枠１２の把持部３３を握って入浴者Ｍが浴槽ＢＴに出入りしようとする際に、該入浴者Ｍの足Ｆが浴室の壁Ｗに当たってしまう場合には、手すり枠１２を固定フレーム１１に対して傾動させる。
該手すり枠１２を傾動させるには、固定ネジ３６をネジ孔３４及び挿通孔３５から引き抜きぬくと、支持スリーブ２５に支持された取着部３１が浴槽壁ＢＷの延びる方向に沿って締付けハンドル２４を中心に回動できるようになり、該取着部３１が回動することにより該手すり枠１２が固定フレーム１１に対して傾動する。そして、手すり枠１２を固定フレーム１１に対して傾動させつつ、ネジ孔３４に挿通孔３５が合う位置でネジ孔３４及び挿通孔３５に固定ネジ３６を差し込み、手すり枠１２を固定フレーム１１に対して所定の傾きで固定する。
図７（ｂ）に示すように、手すり枠１２を固定フレーム１１に対して傾動させることで、手すり枠１２の把持部３３は、該固定フレーム１１の直上位置から、浴槽壁ＢＷの延びる方向に沿って側方へ移動する。その結果、図７（ａ）に示した状態よりも浴槽壁ＢＷの上方のスペースが広くなり、入浴者Ｍは浴槽壁ＢＷを跨ぎ越しやすくなる。
また上記手すり枠１２の把持部３３は円環状に形成されており、何れの箇所も握ることが出来るため、手すり枠１２を傾動させる前後で握りやすさが変わらず、使いやすい。
【００１８】
本発明は必ずしも上記実施形態の構成に限定されるものではなく、以下のように変更してもよい。
図８に示すように、手すり枠１２の把持部３３を円筒枠状に形成してもよい。このように把持部３３を円筒枠状にした場合、握ることが出来る範囲が広がるため、さらに使いやすいものとなる。
また手すり枠１２の把持部３３の形状は、上記した円環状や円筒枠状の他にも、例えば上下方向（鉛直方向）や横方向（水平方向）に延びる略四角枠状や、正面視逆Ｕ字状で基端部（下端部）が上下方向に延びて途中から先端部（上端部）が斜め上方や横方向に延びる形状等としてもよい。
上記手すり位置固定手段は、ネジ孔３４と固定ネジ３６の螺合に限らず、例えばネジ孔３４に代えて挿入孔を設け、固定ネジ３６に代わるピンを該挿入孔に挿入してもよい。あるいはラチェット機構を設け、手すり位置固定手段としてもよい。なお手すり位置固定手段としてラチェット機構を設ける場合、例えば支持スリーブ２５をその外周面上に歯を設けた歯車状とし、取着部３１には回動支持孔３１Ａ内に突出して支持スリーブ２５の歯と噛合するように歯止めを回動可能に内装することで、該歯止めを固定した場合に固定フレーム１１に対する手すり枠１２の取着部３１の回動を規制し、該歯止めの固定を解除した場合に固定フレーム１１に対する手すり枠１２の取着部３１の回動を許容することができる。
【産業上の利用可能性】
【００１９】
本発明にあっては、固定フレームを固定するための締付けハンドルを浴槽外に配したうえで、浴槽壁を跨ごうとする動作を妨げないような位置に手すり枠を動かすことが出来、使用者にとって使い勝手が良いから、産業上の利用可能性がある。
【符号の説明】
【００２０】
１０      浴槽用手すり
１１      固定フレーム
１２      手すり枠
２１      支持枠
２２      当接部
２３      押圧部
２４      締付けハンドル
２３Ａ    ネジ棒
３１      取着部
３２      支柱部
３３      把持部
３４      ネジ孔
３５      挿通孔
３６      固定ネジ
ＢＴ      浴槽
ＢＷ      浴槽壁
【図１】
2014121386.tif 000003
【図２】
2014121386.tif 000004
【図３】
2014121386.tif 000005
【図４】
2014121386.tif 000006
【図５】
2014121386.tif 000007
【図６】
2014121386.tif 000008
【図７】
2014121386.tif 000009
【図８】
2014121386.tif 000010